(57)【特許請求の範囲】
【請求項１】
複数の建物ユニットを結合させて形成するユニット建物の第１建物ユニットと第２建物ユニットとの床に跨って設置用開口が開口され、各建物ユニットには、各建物ユニットの外周縁を囲んで設けられて前記設置用開口を横断して前記床を支持する高さに配置された根太と、この根太よりも低い位置に配置された小梁とが架設され、前記ユニット建物の前記設置用開口に、浴槽および洗い場を備えた浴室構造体を、前記小梁により前記床よりも低い位置に落とし込んで支持して設置する浴室設置方法であって、
工場において、前記第１建物ユニットおよび前記第２建物ユニットの床に、前記設置用開口となる第１開口部および第２開口部を開口する開口ステップと、
前記工場で組み立てた両建物ユニットを建築現場まで運び設置して前記第１開口部と前記第２開口部とを連続させて形成された前記設置用開口に前記根太が横断した状態とするユニット運搬・設置ステップと、
前記根太の前記設置用開口を横断する部分を切断する切断ステップと、
前記浴室構造体の支持用の床パネルを、前記小梁に支持させて前記設置用開口に設置するパネル設置ステップと、
前記浴室構造体を、前記床パネル上で前記床よりも低い位置で前記設置用開口に設置する浴室設置ステップと、
を備えていることを特徴とする浴室設置方法。
【請求項２】
前記切断ステップと前記パネル設置ステップとの間で、断熱材を前記設置用開口に設置する断熱材設置ステップを備えていることを特徴とする請求項１に記載の浴室設置方法。
【請求項３】
前記浴室構造体は、あらかじめ浴槽および洗い場が組み込まれたバスユニットであることを特徴とする請求項１または請求項２に記載の浴室設置方法。
【発明の詳細な説明】
【技術分野】
【０００１】
本発明は、住宅、集合住宅などの建物にバスユニットなどの浴室構造体を設置する浴室設置方法に関する。
【背景技術】
【０００２】
従来、建物に、洗い場と浴槽を備えたバスユニットなどの浴室構造体を設置するにあたり、建物ユニットの床面と浴室構造体の洗い場床面との段差を無くすことが課題となっている。
そこで、バスユニットの設置にあたり、建物ユニットの一般の床部の高さの上段床パネルを設けるとともに、この上段床パネルに開口を設け、この開口に、上段床パネルよりも低い高さに下段床パネルとを設け、この下段床パネルにバスユニットを落とし込んで設置することで、バスユニットを、上段床パネルの上に設置した場合よりも、洗い場床面の高さを低くするようにした技術が知られている（例えば、特許文献１参照）。
【先行技術文献】
【特許文献】
【０００３】
【特許文献１】特許第２７２８３３９号公報
【発明の概要】
【発明が解決しようとする課題】
【０００４】
しかしながら、上述の従来技術は、１つの建物ユニットの床の一部に開口を設け、この開口に下段床パネルを設け、この下段床パネルにバスユニットを設置していたため、バスユニット（浴室構造体）の設置位置が１つの建物ユニット内に限られ、設置自由度が低かった。
【０００５】
本発明は、上述の課題を解決することを目的とするものであり、浴室構造体の設置自由度を向上させることのできる浴室設置方法を提供することを目的とする。
【課題を解決するための手段】
【０００６】
上記目的を達成するために本発明は、複数の建物ユニットを結合させて形成するユニット建物の第１建物ユニットと第２建物ユニットとの床に跨って設置用開口が開口され、各建物ユニットには、各建物ユニットの外周縁を囲んで設けられて前記設置用開口を横断して前記床を支持する高さに配置された根太と、この根太よりも低い位置に配置された小梁とが架設され、前記ユニット建物の前記設置用開口に、浴槽および洗い場を備えた浴室構造体を、前記小梁により前記床よりも低い位置に落とし込んで支持して設置する浴室設置方法であって、工場において、前記第１建物ユニットおよび前記第２建物ユニットの床に、前記設置用開口となる第１開口部および第２開口部を開口する開口ステップと、  前記工場で組み立てた両建物ユニットを建築現場まで運び設置して前記第１開口部と前記第２開口部とを連続させて形成された前記設置用開口に前記根太が横断した状態とするユニット運搬・設置ステップと、前記根太の前記設置用開口を横断する部分を切断する切断ステップと、前記浴室構造体の支持用の床パネルを、前記小梁に支持させて前記設置用開口に設置するパネル設置ステップと、前記浴室構造体を、前記床パネル上で前記床よりも低い位置で前記設置用開口に設置する浴室設置ステップと、を備えていることを特徴とする浴室設置方法とした。
【０００７】
また、請求項２に記載の発明は、請求項１に記載の浴室設置方法において、前記切断ステップと前記パネル設置ステップとの間で、断熱材を前記設置用開口に設置する断熱材設置ステップを備えていることを特徴とする浴室設置方法とした。
請求項３に記載の発明は、請求項１または請求項２に記載の浴室設置方法において、前記浴室構造体は、あらかじめ浴槽および洗い場が組み込まれたバスユニットであることを特徴とする浴室設置方法とした。
【発明の効果】
【０００８】
本発明の浴室設置方法では、設置用開口を横断して配置された根太を切断して、設置用開口に浴室構造体を設置し、この浴室構造体は、根太の上面よりも低い位置に配置させた小梁で支持する床パネル上に設置して、床よりも低く落とし込んだ位置に設置するようにした。
したがって、床を支持する根太が存在する位置であっても、浴室構造体を床よりも低い位置に落とし込んで設置することが可能となり、浴室構造体の設置位置が根太で制約されなくなり、浴室構造体の設置自由度が向上する。
【０００９】
さらに、本発明では、ユニット建物において、第１建物ユニットと第２建物ユニットとに跨る設置用開口に浴室構造体を設置するようにしたため、従来のように１つの建物ユニット内のみに浴室構造体を設置するものと比較して、ユニット建物における浴室構造体の設置自由度が向上する。
請求項２に記載の発明では、設置用開口に断熱材を設置するようにしたため、浴室構造体の断熱性を向上できる。
請求項３に記載の発明では、浴室構造体として、あらかじめ浴室および洗い場が組み込まれたバスユニットを用いたため、建築現場で浴室構造体を組み立てるのと比較して、建築現場における作業工数が削減できる。
【図面の簡単な説明】
【００１０】
【図１】図１は、本発明の実施の形態１の浴室設置方法における開口ステップを説明する斜視図である。
【図２】図２は、実施の形態１の浴室設置方法における切断ステップを説明する斜視図である。
【図３】図３は、実施の形態１の浴室設置方法における断熱材設置ステップを説明する斜視図である。
【図４】図４は、実施の形態１の浴室設置方法におけるパネル設置ステップを説明する斜視図である。
【図５】図５は、実施の形態１の浴室設置方法における浴室設置ステップを説明する斜視図である。
【図６】図６は、実施の形態１の浴室設置方法における間仕切り建て込みステップを説明する斜視図である。
【図７】図７は、実施の形態１の浴室設置方法に用いた床パネル５０を示す平面図である。
【図８】図８は、図５のＳ８−Ｓ８線における切断状態を示す断面図である。
【図９】図９は、図５のＳ９−Ｓ９線における切断状態を示す断面図である。
【発明を実施するための形態】
【００１１】
以下、本発明の実施の形態について、添付図面を参照しながら説明する。
図１〜図６は、実施の形態の浴室設置方法をステップ順に示している。
図１は実施の形態の浴室設置方法を実施する建物（図示省略）の一部を示しており、第１建物ユニット１０と第２建物ユニット２０とを建築現場に設置した状態を示している。
すなわち、図示を省略した建物は、ユニット建物と呼ばれるもので、床パネルおよび壁パネルなどからなる複数の建物ユニットを工場で生産し、この複数の建物を建築現場に輸送し、あらかじめ準備した基礎の上に設置し、各建物ユニットを相互に連結して建物を建築するようにしたものである。
【００１２】
本実施の形態１では、前述の第１建物ユニット１０と第２建物ユニット２０とが結合されて建物（図示省略）のコーナ部に１つのサニタリースペースＳＳが形成される。すなわち、両建物ユニット１０，２０に立設された壁パネル１１，２１，２２によりサニタリースペースＳＳの外壁Ｗが形成され、また、両建物ユニット１０，２０に設けられた床面材１３，２３により、サニタリースペースＳＳの脱衣スペースなどとなる床ＦＬが形成される。なお、図１では、図示を省略するが、両建物ユニット１０，２０には、サニタリースペースＳＳを形成する室内壁が設けられている一方で、天井は、建築現場で設置されるもので、工場出荷時には図示のように設置されていない。
【００１３】
サニタリースペースＳＳには、浴室構造体としてのバスユニット３０が設置される。このバスユニット３０は、 図５に示すように、一体成形された防水パンからなる洗い場３２と浴槽３１とを内部に備え、防水パンの越壁に壁面３４を立設させるとともに、この壁面３４の上部に天井面３５を設けて箱状に形成され、壁面３４には洗い場３２に出入する出入口を開閉するドア３３が設けられた周知のものである。
【００１４】
次に、両建物ユニット１０，２０について説明する。
図１に示すように、本実施の形態１では、第１建物ユニット１０と第２建物ユニット２０は、図において矢印Ｙ方向であるユニット長手方向には共通の寸法に形成されているのに対し、図において矢印Ｘ方向で示すユニット幅方向の寸法が異なっており第２建物ユニット２０は、第１建物ユニット１０の１／２程度の寸法に形成されている。すなわち、両建物ユニット１０，２０を含み建物を構成する建物ユニットは、長手方向および幅方向に連続して結合可能なように所定の規格に基づいて形成されており、基本的には一定の寸法に形成されているが、建物の要求寸法に応じて調整可能なように、基本設定とは異なる寸法が設定されている。本実施の形態１では、第１建物ユニット１０が、基本的な寸法のものであり、第２建物ユニット２０は、調整用に基本的な寸法とは異なる寸法に形成されている。
【００１５】
次に、両建物ユニット１０，２０の床構造について説明する。
各建物ユニット１０，２０の床ＦＬは、床枠組１４，２４の上面にパーティクルボードなどの床面材１３，２３を取り付けて構成されている。
【００１６】
床枠組１４，２４は、各建物ユニット１０，２０の外周縁の位置で矩形の枠を形成する木製で縦長の矩形断面形状の端根太１４ａ，２４ａおよび側根太（根太）１４ｂ，２４ｂを備えている。また、床面材１３，２３が設けられている位置には、図示は省略するが、端根太１４ａ，２４ａおよび側根太１４ｂ，２４ｂと、その上面が同じ高さに配置されて床面材１３，２３を支持する床根太が設けられている。
【００１７】
一方、床ＦＬには、バスユニット３０（図５参照）を設置するためのバスユニット設置用開口４０が工場であらかじめ開口されている。このバスユニット設置用開口４０は、第１建物ユニット１０の床面材１３の角部の一部に形成された第１開口部４１と、第２建物ユニット２０の床面材２３において、第１開口部４１に連続して全幅に亘って形成された第２開口部４２とにより形成されている。
【００１８】
このバスユニット設置用開口４０は、その外周を、端根太１４ａ，２４ａと側根太２４ｂと第１開口枠１４ｄ（図９参照）と第２開口枠２４ｄ（図８参照）とに囲まれている。
両開口枠１４ｄ，２４ｄは、端根太１４ａ，２４ａおよび側根太１４ｂ，２４ｂと素材および寸法が同様のものが用いられており、第１開口枠１４ｄは、図９に示すように、側根太２４ｂに対向して配置され、第２開口枠２４ｄは、図８に示すように、端根太１４ａ，２４ａに対向して配置されている。
【００１９】
バスユニット設置用開口４０には、図１に示すように、端根太１４ａ，１４ａ、２４ａ，２４ａの間に、ユニット長手方向（矢印Ｙ方向）に沿って小梁としての床小梁１４ｃ，２４ｃがユニット幅方向に間隔を空けて平行に架設されている。
【００２０】
床小梁１４ｃ，２４ｃは、金属製であり、端根太１４ａ，２４ａ、側根太１４ｂ，２４ｂ、開口枠１４ｄ，２４ｄよりも上下寸法が小さな略正方形筒状に形成されており（図９参照）、その両端に設けられたＬ字金具（図示省略）を端根太１４ａ，２４ａおよび開口枠１４ｄ，２４ｄにねじ止めして固定されている。また、床小梁１４ｃ，２４ｃは、図９に示すように、その下面が端根太１４ａ，２４ａおよび側根太１４ｂ，２４ｂの下面と略一致する高さに配置され、その上面は、端根太１４ａ，２４ａおよび側根太１４ｂ，２４ｂの上面よりも低い位置に配置されている。
【００２１】
バスユニット設置用開口４０には、図４および図７に示す床パネル５０が床ＦＬよりも低い位置に落とし込んで設置される。
この床パネル５０は、パネル材５１とフレーム材５２とを備えている。
パネル材５１は、長方形の板材において浴槽３１の設置位置の下方においてその一辺部分の一部を長方形に切り欠いた浴槽設置用開口５１ａを備えている。また、この浴槽設置用開口５１ａの近傍に、排水管（図示省略）が挿通される円形の排水用穴５１ｂが開口されている。
【００２２】
フレーム材５２は、金属製の四角筒状のもので、ユニット長手方向（矢印Ｙ方向）に沿って配置された２本の横フレーム５２ａ，５２ｂと、ユニット幅方向（矢印Ｘ方向に）に沿って配置された合計８本の縦フレーム５２ｃ〜５２ｈ，５２ｊ，５２ｋとを結合して組み付けられており、各フレーム５２ａ〜５２ｈ，５２ｊ，５２ｋの先端には、端根太１４ａ，２４ａ、側根太１４ｂ，２４ｂ、開口枠１４ｄ，２４ｄにねじ止めするためのＬ字状の固定金具５３が設けられている。なお、固定金具５３は、浴槽設置用開口５１ａの位置で露出されている縦フレーム５２ｄ，５２ｅの先端に設けられたもののみ図示し、他のフレームに設けられたものは図示を省略している。
【００２３】
フレーム材５２は、浴槽３１が配置される部分が、洗い場３２に配置される部分よりも支持強度が高く形成されている。すなわち、フレーム材５２は、洗い場３２が配置される位置では、横フレーム５２ａ，５２ｂどうしの間および横フレーム５２ｂと開口枠１４ｄとの間で、それぞれ２本の縦フレーム５２ｇ，５２ｈおよび５２ｊ，５２ｋが架設されているのに対し、浴槽３１が配置される位置である横フレーム５２ａと側根太２４ｂとの間では、４本の縦フレーム５２ｃ〜５２ｆが架設されている。
なお、図７に示すように、浴槽設置用開口５１ａに沿って配置された横フレーム５２ａは、他の各フレーム５２ｂ〜５２ｈ，５２ｊ，５２ｋよりも幅広のものが用いられている。また、もう１本の横フレーム５２ｂと、浴槽設置用開口５１ａに配置された２本の縦フレーム５２ｄ，５２ｅおよび横フレーム５２ａ，５２ｂの間に架設された２本の縦フレーム５２ｇ，５２ｈは、他の縦フレーム５２ｃ，５２ｆ，５２ｊ，５２ｋよりも幅広のものが用いられている。
【００２４】
＜浴室設置方法＞
次に、本発明の実施の形態の浴室設置方法について順を追って説明する。
（開口ステップ）
開口ステップは、床ＦＬにバスユニット設置用開口４０を開口するステップである。本実施の形態１では、あらかじめ、工場において、第１建物ユニット１０の床面材１３に第１開口部４１を形成するとともに、第２建物ユニット２０の床面材に第２開口部４２を形成しておき、これらの第１建物ユニット１０と第２建物ユニット２０とを建築現場において結合させることで、両建物ユニット１０，２０を結合して形成されるサニタリースペースＳＳの床ＦＬにバスユニット設置用開口４０が形成される。
また、本実施の形態１では、工場において、バスユニット設置用開口４０に床小梁１４ｃ，２４ｃを各建物ユニット１０，２０に固定しておく。
【００２５】
（ユニット運搬・設置ステップ）
ユニット運搬・設置ステップは、工場で組み立てた両建物ユニット１０，２０を含む建物ユニットを建築現場まで運び、さらに、建築現場に設けられた図示を省略した基礎に設置するステップである。
【００２６】
このユニット運搬・設置ステップにおいて、両建物ユニット１０，２０は、ユニット外周に沿ってその全周に亘って端根太１４ａ，２４ａおよび側根太１４ｂ，２４ｂが枠状に配置されているため、床ＦＬの剛性が確保されており、運搬時に各根太１４ａ，２４ａ，１４ｂ，２４ｂを用いて各建物ユニット１０，２０の支持を行なっても、各建物ユニット１０，２０が変形するなどの不具合が生じることが無い。
【００２７】
さらに、バスユニット設置用開口４０に床小梁１４ｃ，２４ｃを設けているため、バスユニット設置用開口４０を開口していても、この運搬および基礎への設置時に、バスユニット設置用開口４０が変形するのを防止できる。
【００２８】
（切断ステップ）
切断ステップは、両建物ユニット１０，２０の床枠組１４，２４の側根太１４ｂ，２４ｂのうち、バスユニット設置用開口４０に配置されている部分をカットするステップである。
図１は切断ステップの実施前の状態を示しており、バスユニット設置用開口４０の位置に側根太１４ｂ，２４ｂが存在している。
一方、図２は、この切断ステップを実施後の状態を示しており、バスユニット設置用開口４０に配置されている側根太１４ｂ，２４ｂが切断され、このバスユニット設置用開口４０の位置には、床ＦＬの表面の高さから下方に離れて配置された床小梁１４ｃ，２４ｃのみが架設された状態となる。
【００２９】
（断熱材敷設ステップ）
断熱材敷設ステップは、図３に示すように、バスユニット設置用開口４０の全面を覆って断熱材６０を敷設するステップであり、断熱材６０は図２に示す床小梁１４ｃ，２４ｃに支持される。なお、断熱材６０としては、グラスウールなどの無機繊維系断熱材や、ポリスチレンフォームなどの発泡プラスチック系断熱材などを用いることができるが、本実施の形態１では、無機繊維系断熱材を用いている。
【００３０】
（パネル設置ステップ）
パネル設置ステップは、バスユニット設置用開口４０に、バスユニット３０を支持する図４に示す床パネル５０を床ＦＬから落とし込んで設置するステップである。
【００３１】
このとき、床パネル５０は、フレーム材５２の下面が断熱材６０を圧縮あるいは押し退けて各床小梁１４ｃ，２４ｃの上面に当接あるいは近接する高さに配置させた後、各フレーム５２ａ〜５２ｈ，５２ｊ，５２ｋの先端に設けられた固定金具５３を、端根太１４ａ，２４ａ、側根太２４ｂおよび開口枠１４ｄ，２４ｄにねじ止めすることで行う。
【００３２】
したがって、床パネル５０は、図５にも示すように、両建物ユニット１０，２０の床ＦＬよりも低い高さに配置される。
【００３３】
なお、建築現場では、開口ステップからパネル設置ステップまでの間に、壁パネル１１と壁パネル２１との間の継ぎ目を面材７３により覆い隠す作業を実行する。
【００３４】
（バスユニット設置ステップ）
バスユニット設置ステップは、図５に示すように、バスユニット設置用開口４０に設置された床パネル５０の上に、バスユニット３０を床ＦＬから落とし込んで設置するステップである。
このとき、床パネル５０は、両建物ユニット１０，２０の床ＦＬよりも低い位置に設置されているため、バスユニット３０も、床ＦＬよりも低い位置に落とし込んで設置される。
【００３５】
なお、バスユニット３０は、本実施の形態１では、洗い場３２の床面を形成する防水パンや浴槽３１を工場で既に組み付けたものを用いているが、この組立を建築現場で行うようにしてもよい。
【００３６】
（間仕切り建て込みステップ）
間仕切り建て込みステップは、図６に示す出入口間仕切７１および桁間仕切７２を、バスユニット３０の壁面３４のうちサニタリースペースＳＳに面した側面を覆って設置するステップである。
以上のステップを経て、バスユニット３０の設置が終了する。
【００３７】
以上説明したように、本実施の形態の浴室設置方法にあっては、以下に列挙する効果が得られる。
ａ）両建物ユニット１０，２０の設置後に、側根太１４ｂ，２４ｂを切断し、この側根太１４ｂ，２４ｂよりも低い位置に配置されている床小梁１４ｃ，２４ｃにより床パネル５０を支持し、この床パネル５０によりバスユニット３０を床ＦＬよりも低い位置に落とし込んで支持するようにした。
したがって、バスユニット３０を、床ＦＬよりも低い位置に落とし込んで設置するのにあたり、側根太１４ｂ，２４ｂなどの根太の存在に制約されること無く設置可能となり、バスユニット３０の設置自由度が向上する。
【００３８】
ｂ）バスユニット設置用開口４０を、ユニット建物において、両建物ユニット１０，２０に跨って形成し、両建物ユニット１０，２０の外周縁を囲う端根太１４ａ，２４ａおよび側根太１４ｂ，２４ｂのうちの側根太１４ｂ，２４ｂを切断するようにした。
したがって、両建物ユニット１０，２０に跨ってバスユニット３０を床ＦＬよりも低く落とし込んで設置可能となり、従来のように、バスユニット３０の設置が１つの建物ユニット内に限られていたものと比較して、ユニット建物におけるバスユニット３０の設置自由度が向上する。
【００３９】
ｃ）上記のように、側根太１４ｂ，２４ｂの切断は、建築現場で行うため、建築現場までの両建物ユニット１０，２０の運搬時には、端根太１４ａ，２４ａおよび側根太１４ｂ，２４ｂによる両建物ユニット１０，２０の剛性を確保して、従来通りの運搬を行うことができる。すなわち、上記ｂ）のように、側根太１４ｂ，２４ｂを切断して、バスユニット３０を側根太１４ｂ，２４ｂが存在する位置に跨って配置するにもかかわらず、ユニット運搬・設置ステップの時点では、両建物ユニット１０，２０の剛性を確保することができる。
【００４０】
ｄ）バスユニット設置用開口４０において両建物ユニット１０，２０と床パネル５０との間に断熱材６０を敷設したため、バスユニット３０の熱遮断性を向上できる。
【００４１】
ｅ）工場で組み立てたバスユニット３０を、建築現場で両建物ユニット１０，２０間に設置するようにしたため、浴室構造体を建築現場で組み立てるものと比較して、建築現場における作業時間の短縮を図ることができる。
【００４２】
以上、本発明の実施の形態について説明したが、本発明はこうした実施の形態に限定されるものではなく、本発明の要旨を逸脱しない範囲内において種々の変形および置換を加えることができる。
【００４３】
例えば、実施の形態１では、浴室構造体としてのバスユニットを設置する建物として、ユニット建物を示したが、浴室構造体を設置する建物としては、ユニット建物に限定されることはない。したがって、浴室構造体を設置する設置用開口において切断する根太は、床面材を支持する高さに配置された根太であれば、建物ユニットの側根太１４ｂ，２４ｂあるいは端根太１４ａ，２４ａに限定されない。例えば、いわゆるツーバイフォーと呼ばれる木造枠組壁構法の建物における、床根太を切断するようにしてもよい。
【００４４】
また、実施の形態１では、小梁として、工場で各建物ユニット１０，２０に組み付けられた床小梁１４ｃ，２４ｃを示したが、この床小梁１４ｃ，２４ｃは、建築現場で組み付けるようにしてもよい。
【００４５】
また、実施の形態１では、床パネル５０と床小梁１４ｃ，２４ｃとの間に断熱材６０を充填するようにした例を示した。この断熱材６０は、寒冷地では有効であるが、非寒冷地の場合などには、断熱材６０を設けなくてもよい。
【００４６】
また、実施の形態１では、浴室構造体としてあらかじめ工場で浴槽３１や洗い場３２が組み立てられたバスユニット３０を示したが、浴室構造体としてはこれに限定されるものではなく、建築現場で浴槽や洗い場あるいは防水パンを組み付ける形式の浴室構造体であってもよい。
【符号の説明】
【００４７】
１０   第１建物ユニット
１４ｂ 側根太（根太）
１４ｃ 床小梁（小梁）
２０   第２建物ユニット
２４ｂ 側根太（根太）
２４ｃ 床小梁（小梁）
３０   バスユニット（浴室構造体）
３１   浴槽
３２   洗い場
４０   バスユニット設置用開口
４１   第１開口部
４２   第２開口部
５０   床パネル
６０   断熱材
ＦＬ   床
【図１】
0005588215.tif 000002
【図２】
0005588215.tif 000003
【図３】
0005588215.tif 000004
【図４】
0005588215.tif 000005
【図５】
0005588215.tif 000006
【図６】
0005588215.tif 000007
【図７】
0005588215.tif 000008
【図８】
0005588215.tif 000009
【図９】
0005588215.tif 000010